(57)【要約】【課題】電子機器から発生する電磁波が、人体に悪影響を及ぼさないようにすると共に、特に、携帯電話等の携帯品が、テーブル、ポケット、バッグなどから滑り落ちないように、摩擦機能を付加したシールとする。【解決手段】本発明の電磁波制御機能付き滑り止めシールは、電子機器から発生する電磁波を制御すると共に、電子機器の滑りを防止するシールであって、ベースの表面にエラストマー部材を塗布して形成した滑り止め層と、ベースの背面に接着剤を塗布して形成した接着層とを備え、エラストマー部材には、電気的特性が発揮される状態で、トルマリンが混和されていることを特徴とする。また、シールに電磁波シールドフィルムが施されること、及び、ベースの表面にデザインした図柄で広告宣伝ができるように、エラストマー部材を透明な合成樹脂とすることを特徴とする。【選択図】　　　　　図１
2004138833.tif 000002
【特許請求の範囲】
【請求項１】
電子機器から発生する電磁波を制御すると共に、前記電子機器の滑りを防止するシールであって、
前記シールは、ベースの表面にエラストマー部材を塗布して形成した滑り止め層と、
前記ベースの背面に接着剤を塗布して形成した接着層と、を備え、
前記エラストマー部材には、電気的特性が発揮される状態で、トルマリンが混和されていることを特徴とする電磁波制御機能付き滑り止めシール。
【請求項２】
前記シールには、電磁波シールドフィルムが施されていることを特徴とする請求項１に記載の電磁波制御機能付き滑り止めシール。
【請求項３】
前記ベースの表面にデザインした図柄で広告宣伝ができるように、前記エラストマー部材を透明な合成樹脂としたことを特徴とする請求項１または請求項２に記載の電磁波制御機能付き滑り止めシール。
【発明の詳細な説明】
【０００１】
【発明の属する技術分野】
本発明は、電子機器から発生する電磁波が、人体に悪影響を及ぼさないように構成されると共に、滑り止め機能を備えるようにしたシールに関する。
【０００２】
【従来の技術】
携帯電話などの電子機器は、直接人体の頭部に接触させて会話するように形成されているので、電子機器内部から発生する電磁波が、人体に悪影響を与えるのではないかと懸念されている。また、直接利用している本人が受ける悪影響の外に、近くにいる人にも、その影響があるとされ、特に、混雑する乗り物内では、その使用を自粛するように求められている。電磁波シールド用部材として、特許２９７１２３１号公報には、エラストマの母材の内部に、短炭素繊維と長炭素繊維とを混合して配置したものが示されており、電磁波を好適に遮蔽するものとなっている。しかし、エラストマの母材の内部に配置される短炭素繊維が、カール上に形成されてなければならず製造が難しいものとなっている。一方、携帯電話などの電子機器は、アルミ製の金属部材で外装されているので、その表面は金属光沢を有すると共に、金属の滑らかさを有したものとなっている。このような、携帯機器は、例えば、胸のポケットに入れた状態で、上半身を屈めると、胸のポケットから、滑り落ちるなどのトラブルを発生させる。例えば、カラオケ店では、携帯電話をマナーモードにし、着信音によるカラオケの中断を避けることが多く、このような場合には、着信音が聞こえないので、目の前のテーブル等に置くのが習慣的になっている。しかし、着信時には、バイブレーション機能が働くので、携帯電話は、テーブルから床下に滑り落ちてしまうことがある。滑り止め機能を備えた公報として、実開平７−３３９２２には、永久磁石を保持する滑り止め具が開示されている。しかし、この滑り止め具は、身体に衣服と共に着用されるものであり、空洞部の中に磁石を入れて携帯するものであることから、携帯電話等の携帯用機器に適用できるものとはなっていない。
【０００３】
【発明が解決しようとする課題】
本発明は、電子機器から発生する電磁波が、人体に悪影響を及ぼさないようにすると共に、特に、携帯電話等の携帯品が、テーブル、ポケット、バッグなどから滑り落ちないように、摩擦機能を付加したシールとする。
【０００４】
【課題を解決するための手段】
上記目的を達成するために、本発明の電磁波制御機能付き滑り止めシールは、電子機器から発生する電磁波を制御すると共に、前記電子機器の滑りを防止するシールであって、前記シールは、ベースの表面にエラストマー部材を塗布して形成した滑り止め層と、前記ベースの背面に接着剤を塗布して形成した接着層と、を備え、前記エラストマー部材には、電気的特性が発揮される状態で、トルマリンが混和されていることを特徴とする。
また、本発明の実施の形態として、前記シールには、電磁波シールドフィルムが施されていることを特徴とする。さらに、前記ベースの表面にデザインした図柄で広告宣伝ができるように、前記エラストマー部材を透明な合成樹脂としたことを特徴とする。
【０００５】
これにより、トルマリンがマイナスイオンを発生させ、電子機器の電磁波で発生するプラスイオンを減少させる。即ち、トルマリンで発生するマイナスイオンは、電磁波を、人体に悪影響がないものとする。また、携帯電話等の携帯品（電子機器）に、摩擦抵抗機能が付加され、それを保持するテーブル、ポケット、バッグなどから滑り落ちないものとする。また、電磁波シールドフィルムは、電子機器からの電磁波を直接遮断する。さらに、ベースの表面にデザインした図柄で、広告宣伝ができるので、宣伝費が軽減される。
【０００６】
【発明の実施の形態】
発明の実施の形態を図面に基き詳細に説明する。
図１は、本発明の電磁波制御機能付き滑り止めシール１を示したものであり、（ａ）は、その平面図、（ｂ）は、その側断面図である。これら、図（ａ）、（ｂ）に示すように、電磁波制御機能付き滑り止めシール１は、ベース４の上に透明なエラストマー部材を塗布、もしくは、接着することにより、その表面を滑り止め層２として形成し、ベース４の背面は、接着剤を塗布することにより、接着層６としたものである。エラストマー部材には、電気的特性が発揮される状態でトルマリンを混和（図省略）し、トルマリンがマイナスイオンを発生させるようにしている。接着層６には、剥離紙７を添着し、接着層６の貼付強度が失われないように形成する。
【０００７】
ベース４は、エラストマー部材を塗布、もしくは、接着した際に、歪みや変形などが発生しないようなシート体で、その表面にデザインが描けるものとなっている。形状については、円形の他、特定のキャラクターをデザインしたものなど任意の形状でよく、また、その上を透明な合成樹脂（エラストマー部材）が覆っているので、ベースの表面にデザインした図柄は、その表面（滑り止め面２）から視認できる。これにより、電磁波制御機能付き滑り止めシール１は、広告宣伝の媒体として利用することができるものである。
【０００８】
以上説明したように電磁波制御機能付き滑り止めシール１が構成されているので、電子機器から発生する電磁波が、人体に悪影響を及ぼさないように、電子機器に貼付することができる。即ち、携帯電話などの電子機器は、通電状態で電磁波を発生させるとともに、周囲にプラスイオンを生成し、人体に悪影響を及ぼしている。しかし、電磁波制御機能付き滑り止めシール１のトルマリンが、マイナスイオンを発生させることにより、プラスイオンを減少させ、電磁波による人体への悪影響を減少させる。
【０００９】
図２は、電磁波制御機能付き滑り止めシール１が貼付された携帯電話１０を示したものである。図２に示すように、電磁波制御機能付き滑り止めシール１は、携帯電話などの電子機器の裏面に貼付するのがよく、これにより、周囲に、マイナスイオンの雰囲気を作り出し、利用者のみならず、周囲の人への悪影響をも軽減することができる。また、図は省略するが、この電磁波制御機能付き滑り止めシール１に、電磁波シールドフィルムを施こすことにより、電子機器から発生する電磁波を直接的に遮蔽し、より確実な電磁波制御機能付き滑り止めシール１となる。
【００１０】
このような電磁波制御機能付き滑り止めシール１は、ベースの表面にエラストマー部材を塗布して形成され、滑り止め層２が形成されたものとなっている。即ち、電磁波制御機能付き滑り止めシール１が、携帯電話１０の背面に貼付された場合、それを保持する対象物に対して、滑らないものとなる。図３でその使用形態を示すように、携帯電話１０には、摩擦抵抗機能が備えられたものとなり、滑り止め層２を、テーブル５に接するように置くだけで、着信時のバイブレーションに対しても摩擦力が働き、テーブル５から滑り落ちることがなくなる。また、このような、電磁波制御機能付き滑り止めシール１を、テーブルに接着して据え付けてもよく、その上に携帯電話１０を置くだけで、携帯電話１０が滑り落ちなくなる。
【００１１】
携帯電話１０を保持する対象物として、テーブル５を示し、その上に置かれた携帯電話１０が摩擦抵抗機能を備えることを示したが、他にも、携帯電話１０を保持する対象物として、例えば、Ｙシャツのポケットやハンドバッグなどがあり、それぞれ、状況に応じて、それを保持する対象物から滑り落ちないものとする。また、例えば、ランチョンマットやテーブルクロスの背面に電磁波制御機能付き滑り止めシール１を接着し、テーブルなどの対象物に対して滑らないようにすることもできる。
【００１２】
エラストマー部材については、常温で弾性を有する天然ゴムや、摩擦力の大きい合成樹脂素材が好適に使用できる。例えば、スチレンブタジエンゴム、ポリブタジエンゴム、ポリイソプレンゴム等が挙げられる。このようなエラストマー部材は、ベース４の上に塗布されるものであるが、ベース４及びエラストマー部材間に接着剤を介在させることにより、電磁波制御機能付き滑り止めシール１の信頼性は向上する。また、ベース４の表面にデザインされた図柄に、立体感を持たせるため、透明なエラストマー部材に凹凸を形成してもよい。透明なエラストマー部材に凹凸が形成された場合は、レンズ効果によりベースの図柄が立体的になる。
【００１３】
図４は、他の実施の形態を示したものである。この実施の形態は携帯電話１０の外側を構成するバッテリーキャップを滑り止め層２とし、エラストマー部材で形成したものである。このように、携帯電話１０の外側の部品が、エラストマー部材で形成された場合、携帯電話は、それを保持する対象物（例えば、衣服のポケットやテーブル）に対し滑らないものとなる。また、このような滑り止め部２は、しぼ加工することにより、さらに、摩擦機能が備えられ、滑らないものとなる。
【００１４】
【発明の効果】
本発明の滑り止め具は、以上説明したように構成されているので、トルマリンがマイナスイオンを発生させ、電子機器の電磁波で発生するプラスイオンを減少させる。また、エラストマー部材は、携帯電話等の携帯品に、摩擦抵抗機能を付加し、それを保持するものから滑り落ちないものとする。電磁波シールドフィルムは、電子機器からの電磁波を直接遮断できる。ベースの表面にデザインした図柄で、広告宣伝ができるので、宣伝費が軽減される。
【図面の簡単な説明】
【図１】第１の実施の形態を示したものであり、（ａ）はその平面図、（ｂ）はその側断面図である。
【図２】電磁波制御機能付き滑り止めシールの使用形態を示したものである。
【図３】電磁波制御機能付き滑り止めシールの使用形態を示したものである。
【図４】他の実施の形態を示したものである。
【符号の説明】
１　電磁波制御機能付き滑り止めシール
２　滑り止め層
４　ベース
５　テーブル
６　接着層
７　剥離紙
１０　携帯電話
【図１】
2004138833.tif 000003
【図２】
2004138833.tif 000004
【図３】
2004138833.tif 000005
【図４】
2004138833.tif 000006